(57)【要約】【課題】装着時に外衣を通して外観に現れにくくすると共に通気性を確保することができる装着用支持パッド及びこれを備えた衣類、三次元立体網状構造体を提供する。【解決手段】装着用支持パッド1Aは、熱可塑性樹脂からなる連続線条体11aを曲がりくねらせてランダムループ11bを形成し、それぞれのランダムループを互いに溶融状態で接触せしめてなる三次元立体網状構造体11から形成される本体部10と、本体部の外縁10aを囲むように設けられる端始末部20と、端始末部の外縁20aによって囲まれる領域に設けられ、人体への装着時に支持したい部位を支持する支持部30とを備える。端始末部は、本体部を形成する三次元立体網状構造体を圧縮熱成型して形成された板状体又は線状体である。支持部は、本体部を形成する三次元立体網状構造体を圧縮熱成型して形成された板状体である。端始末部及び支持部は、本体部の厚みt1よりも薄く形成される。【選択図】図１
2015150323.tif 000002
【特許請求の範囲】
【請求項１】
熱可塑性樹脂からなる連続線条体を曲がりくねらせてランダムループを形成し、それぞれの前記ランダムループを互いに溶融状態で接触せしめてなる三次元立体網状構造体から形成される本体部と、
前記本体部の外縁を囲むように設けられる端始末部と、
前記端始末部の外縁によって囲まれる領域に設けられ、人体への装着時に支持したい部位を支持する支持部と、
を備え、
前記端始末部は、前記本体部を形成する前記三次元立体網状構造体を圧縮熱成型して形成された板状体又は線状体であり、前記本体部の厚みよりも薄く形成され、
前記支持部は、前記本体部を形成する前記三次元立体網状構造体を圧縮熱成型して形成された板状体であり、前記本体部の厚みよりも薄く形成されている、
装着用支持パッド。
【請求項２】
前記支持部の曲げ剛性は、前記本体部の曲げ剛性よりも高く、かつ、前記端始末部の曲げ剛性以上である、
請求項１に記載の装着用支持パッド。
【請求項３】
前記端始末部の外縁によって囲まれる領域は、装着時に着用者の肌側となる第１面及び前記第１面とは反対側の第２面を有し、前記第１面及び前記第２面が、前記第２面側に全体的に凸となるように形成されている、
請求項１又は２に記載の装着用支持パッド。
【請求項４】
前記支持部は、直線状であり、その両端が前記端始末部に接続されている、
請求項１〜３の何れか一項に記載の装着用支持パッド。
【請求項５】
請求項１〜４の何れか一項に記載の装着用支持パッドを備え、
前記装着用支持パッドの前記支持部が、装着時に前記支持したい部位と接触する位置に設けられている衣類。
【請求項６】
前記装着用支持パッドを出し入れ可能な収容部を更に備え、
前記装着用支持パッドが収容された前記収容部は、装着時に前記支持部が前記支持したい部位と接触する位置に設けられている、
請求項５に記載の衣類。
【請求項７】
熱可塑性樹脂からなる連続線条体を曲がりくねらせてランダムループを形成し、それぞれの前記ランダムループを互いに溶融状態で接触せしめて形成されると共に、請求項１〜４の何れか一項に記載の装着用支持パッドに使用されることを特徴とする三次元立体網状構造体。
【発明の詳細な説明】
【技術分野】
【０００１】
本発明は、装着用支持パッド及びこれを備えた衣類、三次元立体網状構造体に関する。
【背景技術】
【０００２】
重量物を持ち上げたり、着座時間または立ち時間が長く続いたりするなど、腰に負担がかかる作業を行う者や、腰部に疾患などを持つ者が、腰を保護するためのものとして、腰痛ベルトが知られている。しかしながら、腰痛ベルトを着用するほどではないが腰に不安要素をもつ者や、過去に腰痛疾患があり、その再発に不安を感じる者にとっては、腰痛ベルトは、装着時における着用感がきついので動きづらく、又、腰痛ベルトとパンツとが二重となる部分において着用感が悪い。このような問題を解決するための衣類として、例えば、ウエスト部の後側部分にボーンが装備された衣服（パンツ）が開示されている（特許文献１参照）。この衣類によれば、腰部の保護及び安定化が図れると共に、装着感やフィット感も向上させることができる。
【先行技術文献】
【特許文献】
【０００３】
【特許文献１】特開２００５−２２６２０１号公報
【発明の概要】
【発明が解決しようとする課題】
【０００４】
しかしながら、上記従来のボーンが装備された衣服では、ボーンの端部の形状が外衣を通して外観に現れやすく、又、ボーンが飛び出すおそれがある。装着時に外衣を通して現れにくくするためにウレタンなどの軟質な材料で装着用支持パッドを形成することも考えられるが、通気性を確保することができず蒸れるおそれがある。
【０００５】
そこで、本発明の目的は、装着時に外衣を通して外観に現れにくくすると共に通気性を確保することができる装着用支持パッド及びこれを備えた衣類、三次元立体網状構造体を提供することにある。
【課題を解決するための手段】
【０００６】
本発明の一側面に係る装着用支持パッドは、熱可塑性樹脂からなる連続線条体を曲がりくねらせてランダムループを形成し、それぞれのランダムループをお互いに溶融状態で接触せしめてなる三次元立体網状構造体から形成される本体部と、本体部の外縁を囲むように設けられる端始末部と、端始末部の外縁によって囲まれる領域に設けられ、人体への装着時に支持したい部位を支持する支持部と、を備え、端始末部は、本体部を形成する三次元立体網状構造体を圧縮熱成型して形成された板状体又は線状体であり、本体部の厚みよりも薄く形成され、支持部は、本体部を形成する三次元立体網状構造体を圧縮熱成型して形成された板状体であり、本体部の厚みよりも薄く形成されている。
【０００７】
この構成の装着用支持パッドでは、空隙を有する三次元立体網状構造体によって本体部が形成されているので、人体への装着時に通気性を確保することができる。一方、支持部は、立体網状構造体を圧縮熱成型して形成された板状体又は線状体であるので、本体部の三次元立体網状構造体と比べて剛性が高められている。このため、支持したい部位を適切に支持することができる。本体部を囲む端始末部も同様に、本体部の三次元立体網状構造体と比べて剛性が高められているので、装着用支持パッド全体としての保形性を高めることができる。更に、支持部及び端始末部は、本体部と比べて厚みが薄く形成されているので、その部分が外衣を通して外観に現れにくくなっている。この結果、装着時に外衣を通して外観に現れにくくすると共に通気性を確保することができる。
【０００８】
一実施形態においては、支持部の曲げ剛性は、本体部の曲げ剛性よりも高く、かつ、端始末部の曲げ剛性以上としてもよい。
【０００９】
一実施形態においては、端始末部の外縁によって囲まれる領域は、装着時に着用者の肌側となる第１面及び第１面と反対側の第２面を有し、第１面及び第２面が、第２面側に全体的に凸となるように形成されてもよい。
【００１０】
この構成の装着用支持パッドの第１面が着用者の肌側となるように装着すれば、衣服などにより外側から力が加わった場合であっても、端始末部の外縁は第２面側に凸となる形状を維持しようと着用者の肌側に密着する。このため、端始末部の形状が外衣を通して外観に現れることを更に抑制することができる。
【００１１】
一実施形態においては、支持部は、直線状であってもよく、その両端が端始末部に接続されていてもよい。
【００１２】
本発明の一側面に係る衣類は、上記の装着用支持パッドを備え、装着用支持パッドの支持部が、人体への装着時に支持したい部位と接触する位置に設けられている。
【００１３】
本発明の一側面に係る衣類は、空隙を有する立体網状構造体によって本体部が形成されているので、装着時に通気性を確保することができる。一方、支持部は、立体網状構造体を溶融固化して形成された板状体であるので、立体網状構造体と比べて剛性が高められている。このため、支持したい部位を適切に支持することができる。本体部を囲む端始末部も同様に剛性が高められているので、装着用支持パッド全体としての保形性を高めることができる。更に、支持部及び端始末部は、本体部と比べて薄く形成されているので、その部分が衣類を通して外観に現れにくくなっている。この結果、装着時に衣類を通して外観に現れにくくすると共に通気性を確保することができる。
【００１４】
一実施形態においては、衣類は、装着用支持パッドを出し入れ可能な収容部を更に備え、装着用支持パッドが収容された収容部は、装着時に支持部が支持したい部位と接触する位置に設けられてもよい。
【００１５】
一実施形態においては、熱可塑性樹脂からなる連続線条体を曲がりくねらせてランダムループを形成し、それぞれのランダムループを互いに溶融状態で接触せしめて形成されると共に、上述した装着用支持パッドに使用されることを特徴とする三次元立体網状構造体としてもよい。
【００１６】
この三次元立体網状構造体は空隙の多い構造であるので、装着用支持パッドに使用されることにより、人体への装着時にその装着者に対して、通気性の良さを提供することができる。また、三次元立体網状構造体を圧縮熱成型することにより、容易に本体部の三次元立体網状構造体よりも剛性の高い支持部及び端始末部を形成することができるので、装着用支持パッドの生産性を高めることができる。
【発明の効果】
【００１７】
本発明によれば、装着時に外衣を通して外観に現れにくくすると共に通気性を確保することができる。
【図面の簡単な説明】
【００１８】
【図１】一実施形態に係る腰パッドを示す斜視図である。
【図２】一実施形態に係る腰パッドを示す平面図である。
【図３】図１に示す腰パッドのIIIＡ−IIIＡ線及びIIIＢ−IIIＢ線における断面図である。
【図４】本体部を形成する三次元立体網状構造体の一例を示した斜視図である。
【図５】三次元立体網状構造体を製造する三次元立体網状構造体製造装置の概略構成図である。
【図６】腰パッド用ポケット部を有するパンツの一例の斜視図及び腰パッド用ポケット部を拡大して示す斜視図である。
【図７】図６に示す腰パッドのVII−VII線における断面図である。
【図８】腰パッド用ポケット部を有するウエストベルトの一例を内側から見た平面図である。
【図９】図８に示すウエストベルトのIX−IX線における断面図である。
【図１０】図８に示すウエストベルトを取り付けたエプロンの展開図である。
【図１１】図１０に示すエプロンの正面図である。
【図１２】本実施形態の腰パッドを腰部に装着する際の例を示した図面である。
【図１３】従来の腰パッドを腰部に装着する際の例を示した図面である。
【図１４】他の実施形態に係る腰パッドを示す平面図である。
【図１５】他の実施形態に係る膝パッドを示す平面図、Ａ−Ａ線の断面図、Ｂ−Ｂ線の断面図である。
【図１６】他の実施形態に係る大転子パッドを示す平面図、Ａ−Ａ線の断面図、Ｂ−Ｂ線の断面図である。
【発明を実施するための形態】
【００１９】
以下、図面を参照して一実施形態に係る装着用支持パッドについて説明する。図面の説明において、同一要素には同一符号を付し、重複する説明を省略する。図面の寸法比率は、説明のものと必ずしも一致していない。説明中、「上」、「下」等の方向を示す語は、図面に示された状態に基づいた便宜的な語である。
【００２０】
装着用支持パッドは、装着時に人体の屈曲する部位を覆うように装着され、当該部位の安定及び保護を図る部材である。人体における屈曲する部位には、腰部（腰椎部）、膝関節部、大転子部などが含まれる。以下、装着用支持パッドの例として、腰部（腰椎部）の安定及び保護を図ることができる腰パッド１Ａについて図面を参照しながら説明する。
【００２１】
図１は、一実施形態に係る腰パッド１Ａを示す斜視図である。図２は、一実施形態に係る腰パッド１Ａを示す平面図である。図３は、図１及び図２に示す腰パッド１ＡのIIIＡ−IIIＡ線及びIIIＢ−IIIＢ線における断面図である。図１〜図３に示すように、腰パッド１Ａは、後段にて詳述する三次元立体網状構造体１１により形成される本体部１０と、本体部１０の外縁１０ａを囲むように設けられる端始末部２０と、端始末部２０の外縁２０ａによって囲まれる領域の少なくとも一部に設けられる支持部３０と、を備えている。
【００２２】
図４は、本体部１０を形成する三次元立体網状構造体１１の一例を示した斜視図である。図４に示すように、本体部１０は、熱可塑性樹脂からなる連続線条体１１ａを曲がりくねらせたランダムループ１１ｂを形成し、それぞれのランダムループ１１ｂを互いに溶融状態で接触せしめて三次元的に構成した三次元立体網状構造体１１から形成されている。
【００２３】
図３に戻り、本体部１０の厚み（人体を覆う面に直交する方向における厚み）ｔ１０は、後段にて詳述する端始末部２０及び支持部３０のそれぞれの厚みｔ２０，ｔ３０と比べて厚く形成されている。
【００２４】
三次元立体網状構造体１１に使われる熱可塑性弾性樹脂の例には、ポリエステル系エラストマー、ポリアミド系エラストマー、ポリウレタン系エラストマー、ポリオレフィン系エラストマー及びエチレン酢酸ビニル共重合体などが含まれる。ポリエステル系エラストマーの例には、熱可塑性ポリエステルをハードセグメントとし、ポリアルキレンジオールをソフトセグメントとするポリエステルエーテルブロック共重合体、及び脂肪族ポリエステルをソフトセグメントとするポリエステルエーテルブロック共重合体が含まれる。ポリアミド系エラストマーの例には、ナイロンをハードセグメントとし、ポリエチエングリコール、及びポリプロピレングリコールなどをソフトセグメントとするものなどが含まれる。ポリオレフィン系エラストマーの例には、エチレンと炭素数３以上のαオレフィンからなるエチレン・α−オレフィン共重合体とが含まれる。エチレン酢酸ビニル共重合体の例には、炭素数３以上のα−オレフィンにエチレン酢酸ビニルを１〜１０％含有した共重合体が含まれる。
【００２５】
三次元立体網状構造体１１は、上記の熱可塑性弾性樹脂に、熱可塑性の非弾性樹脂を組み合わせてもよい。熱可塑性の非弾性樹脂の例には、ポリエステル、ポリアミド、ポリウレタンなどが含まれる。これら非弾性樹脂と弾性樹脂との組み合わせには、ポリエステル系エラストマーとポリエステル系樹脂との組み合わせ、ポリアミド系エラストマーとポリアミド系樹脂との組み合わせ、及びポリウレタン系エラストマーとポリウレタン系樹脂との組み合わせなどが含まれる。
【００２６】
例えば、三次元立体網状構造体１１において、ランダムループ１１ｂを形成する連続線条体１１ａは中空としてもよく、この場合には、軽量化及び着用感の点で優れたものとすることができる。また、連続線条体１１ａの、例えば、外周径及び繊度などを調整することにより、三次元立体網状構造体１１の圧縮強度、反発性、及び空隙率を調整することができる。このように、三次元立体網状構造体１１を形成する樹脂、繊度、ループ径、嵩密度などを適宜調整することにより、使用部位に応じた重量、着用感、圧縮強度、反発性、及び空隙率などを有する装着用支持パッドを製造できる。また、樹脂に所定の添加剤を添加することにより、三次元立体網状構造体１１において、抗菌防臭性、制菌性、消臭性、ノネナール消臭性、ｐＨ緩衝性、制電性、ＳＲ防汚性、耐酸性雨性の多機能性を発現させることもできる。
【００２７】
図１及び図２に示すように、端始末部２０は、本体部１０の外縁１０ａを囲むように設けられる部分である。なお、本実施形態の腰パッド１Ａでは、後述にて詳述する支持部３０が端始末部２０としての機能も兼ねている。端始末部２０は、本体部１０を形成する三次元立体網状構造体１１を圧縮熱成型して形成された板状体又は線状体であり、図３（Ａ）及び（Ｂ）に示すように、本体部１０の厚みｔ１０よりも薄く形成される。本実施形態の端始末部２０では、板状体として形成される。端始末部２０における板状体と線状体との違いは、端始末部２０の外縁２０ａと本体部１０の外縁１０ａとの距離の違いであり、その距離が０よりも大きければ線状体及び板状体の何れかであり、その距離が所定値以上であれば線状体ではなく板状体であると言える。
【００２８】
図１及び図２に示すように、支持部３０は、端始末部２０の外縁２０ａによって囲まれる領域の一部に設けられると共に、人体への装着時に支持したい部位を支持する部分である。支持部３０は、人体への装着時に支持したい部位（本実施形態では腰椎）が延びる方向に沿って設けられる。本実施形態の腰パッド１Ａにおける支持部３０は、端始末部２０としての機能も兼ねている。本実施形態の腰パッド１Ａでは、支持部３０は、一方向に平行な方向に沿って直線状に形成されており、その両端が端始末部２０に接続されている。腰パッド１Ａは、支持部３０が延在する方向と腰椎が延びる方向とが一致するように、更に、図２に示す上方向が人体の立位時の上方向となるように装着される。
【００２９】
支持部３０は、本体部１０を形成する三次元立体網状構造体１１を圧縮熱成型して形成された板状体又は線状体であり、図３（Ａ）及び（Ｂ）に示すように、本体部１０の厚みｔ１０よりも薄く形成されている。支持部３０の曲げ剛性は、本体部１０の曲げ剛性よりも高く、かつ、端始末部２０の曲げ剛性以上となるように形成される。支持部３０の厚みｔ３０は、支持したい部位に合わせて適宜調整される。すなわち、支持したい部位を適正に支持できる剛性が得られるように調整される。
【００３０】
図３（Ａ）及び（Ｂ）に示すように、本実施形態の腰パッド１Ａでは、端始末部２０の外縁２０ａによって囲まれる領域が、装着時に装着者の肌側となる内側面（第１面）３及び内側面３とは反対側の外側面（第２面）５を有し、内側面３及び外側面５が、外側面５側に全体的に凸となるように形成されている。
【００３１】
次に、上述した腰パッド１Ａの製造方法について説明する。まず、三次元立体網状構造体１１の製造方法について説明する。図５は、三次元立体網状構造体１１を製造する三次元立体網状構造体製造装置９０の概略構成図である。図５に示すように、熱可塑性樹脂は、材料供給口９１から押出部９２に投入され溶融加熱される。溶融加熱された熱可塑性樹脂は、ノズル部９３から下方に吐出され、線状に連続して途切れることなく自由落下する。熱可塑性樹脂の吐出時の溶融温度、熱可塑性樹脂の吐出速度、及びノズル部９３の配置などは、ランダムな三次元ループを形成しやすく、かつループ同志の接触部が互いに融着しやすい状態となるように適宜設定される。
【００３２】
ノズル部９３の下方には、回転体９４，９５によって図中の矢印方向に連続的に無端走行させられる一対のエンドレスネット９６，９６によって構成されるコンベア９７が配置されている。ノズル部９３から吐出された熱可塑性樹脂は、エンドレスネット９６，９６によって誘導されながら、ノズル部９３の下方に配置された水などの冷却媒体９８に投入される。
【００３３】
溶融した熱可塑性樹脂がエンドレスネット９６，９６の間に落下することにより、ノズル部９３の数に応じた本数の連続線条体１１ａが形成されつつ、エンドレスネット９６，９６の間に挟まれ、かつ、停留することでランダムループ１１ｂが形成される。そして、このランダムループ１１ｂが互いに接触して融着されることにより立体的な三次元立体網状構造体１１が形成される。
【００３４】
次に、上記の一連の工程を経て得られた三次元立体網状構造体１１を下型の上に載置し、端始末部２０となる端部、支持部３０となる端部及び本体部１０が形成されるようにプレス型で熱プレス（熱圧縮成型）する。このように、三次元立体網状構造体１１がプレス型で熱プレスされることによって、図１に示すような、板状体の端始末部２０及び支持部３０を有する腰パッド１Ａが形成される。
【００３５】
次に、上記実施形態及び上記製造方法によって製造された腰パッド１Ａを腰部へ装着する際の一例について説明する。腰パッド１Ａは、内側面３を肌側に向けて装着される（図１２参照）。言い換えれば、腰パッド１Ａは、凹部を形成する面を肌側に向けて装着される。このとき、図２に示す下部を下方に向けて装着される。腰部への腰パッド１Ａの装着は、腰部に直接当てた後、パンツなどのウエスト部で腰パッド１Ａを支持したり、ベルトやサポータなどで支持したり、衣服に腰パッド１Ａを貼付したパンツなどを着用したりして行うことができる。また、腰部への腰パッド１Ａの装着は、衣類などに設けられた腰パッド１Ａを収容するための収容部に腰パッド１Ａを収容し、その腰パッド１Ａが収容された衣類を着用することによって行うことができる。
【００３６】
衣類の例には、スカート、キュロットスカート、スパッツ、ガードル、ニッパー、パンツ、エプロン、膝・肘・大転子サポータ、ウエストベルトなどが含まれる。衣類に設けられる収容部の例には、腰パッド１Ａを収容するポケットなどが含まれる。また、収容部を有する膝・肘・大転子サポータ、ウエストベルトが、スカート、キュロットスカート、スパッツ、ガードル、ニッパー、パンツ、エプロンなどに取り付けられた構造としてもよい。
【００３７】
以下、腰部に腰パッド１Ａを装着するための衣類の一つとして、腰パッド１Ａを収容するため腰パッド用ポケット部を有するパンツについて詳細に説明する。図６（Ａ）は、腰パッド用ポケット部５１を有するパンツ５０の一例を示す斜視図、図６（Ｂ）は、腰パッド用ポケット部５１を拡大して示す斜視図である。図７は、図６（Ｂ）に示す腰パッドのVII−VII線における断面図である。
【００３８】
図６（Ａ）に示すように、腰パッド用ポケット部５１は、着用者がパンツ５０を着用した際に腰部を覆う部分に設けられている。図６（Ｂ）及び図７に示すように、腰パッド用ポケット部５１は、着用時に人体側に配置される（腰部を覆うように配置される）前側下辺部材５３及び前側上辺部材５５と、着用時に人体の外側に配置される裏側下辺部材５７及び裏側上辺部材５９と有しており、これらの部材により袋状に形成されている。言い換えれば、腰パッド用ポケット部５１は、前側下辺部材５３、前側上辺部材５５、裏側下辺部材５７及び裏側上辺部材５９により、腰パッド１Ａを収容するための収容空間が形成されている。
【００３９】
前側上辺部材５５の下縁の一部は、前側下辺部材５３の上縁の一部を覆うように配置されており、前側上辺部材５５と前側下辺部材５３との隙間部分から上記腰パッド１Ａを出し入れ可能となっている。前側下辺部材５３には、吸汗性のあるベア天竺素材を使用することができる。前側上辺部材５５及び裏側上辺部材５９には、パンツ５０を形成する本体部と同じ材料を使用することができる。裏側下辺部材５７には、伸縮力のある細かいネット状の編物であるパワーネットを使用することができる。また、裏側下辺部材５７を別の生地で設け、その生地の前側下辺部材５３側にパワーネットを裏打ちしてもよい。
【００４０】
裏側下辺部材５７として使用されるパワーネットは、面内方向に張力がかかった状態、言い換えれば、張力がかけられていない通常状態から長手方向（図６（Ｂ）においては左右方向）に伸ばされた状態で、前側下辺部材５３、前側上辺部材５５及び裏側上辺部材５９に縫着されてもよい。この場合、腰パッド１Ａが腰パッド用ポケット部５１に収容された状態のパンツ５０が着用されると、腰パッド１Ａの収容空間に収容される腰パッド１Ａの外側面５（図３（Ａ）及び（Ｂ）参照）の下部が、パワーネットによって人体側に向かって面的に押さえられる。
【００４１】
更に、裏側下辺部材５７と前側下辺部材５３との間には、伸縮性のあるテープ状の部材であるストレッチテープ（例えば、平ゴム）６１が設けられてもよい。ストレッチテープ６１は、腰パッド用ポケット部５１の左右両端（本実施形態では、図６（Ｂ）に示すように、裏側下辺部材５７及び前側下辺部材５３の左右両端部分）に縫着される。このときストレッチテープ６１は、左右方向（長手方向）に張力がかかった状態、言い換えれば、張力がかけられていない通常状態から左右方向に伸ばされた状態で縫着される。
【００４２】
ストレッチテープ６１は、腰パッド１Ａを収容する収容空間に腰パッド１Ａが収容された際に、腰パッド１Ａの高さ方向（図２に示す上下方向）の中心部近傍の外側面５（図３（Ａ）及び（Ｂ）参照）を押さえることができる位置に設けられる。この場合、腰パッド１Ａが腰パッド用ポケット部５１に収容された状態のパンツ５０が着用されると、腰パッド１Ａの収容空間に収容される腰パッド１Ａの高さ方向の中心部近傍の外側面５が、ストレッチテープ６１によって人体側に向かってポイント的に押さえられる。
【００４３】
上記実施形態の腰パッド１Ａでは、面的に押さえる裏側下辺部材（パワーネット）５７が人体に向かって押さえつける力よりも、ポイント的に押さえるストレッチテープ（平ゴム）６１が人体に向かって押さえつける力の方が大きい。これにより、腰パッド１Ａは、裏側下辺部材５７によって人体から浮かないように全体的にゆるく押さえつけられ、ストレッチテープ６１によって人体に密着させられる。
【００４４】
次に、腰部に腰パッド１Ａを装着するための衣類のもう一つとして、腰パッド１Ａを収容するため腰パッド用ポケット部を有するウエストベルト７０について詳細に説明する。図８は、腰パッド用ポケット部７１を有するウエストベルト７０の一例を内側から見た平面図である。図９は、図８に示すウエストベルト７０のIX−IX線における断面図である。ウエストベルト７０は、ウエスト部に着用するベルトであり、図８に示すように、腰パッド用ポケット部７１と、脇側ベルト部７７と、固定部７８とを備えている。
【００４５】
ウエストベルト７０は、腰パッド用ポケット部７１は、着用者がウエストベルト７０を着用した際に腰部を覆う部分に設けられている。図８及び図９に示すように、腰パッド用ポケット部７１は、着用時に人体側に配置される（腰部を覆うように配置される）前側下辺部材７２及び前側上辺部材７３と、着用時に人体の外側に配置される裏側下辺部材７４及び裏側上辺部材７５と有しており、これらの部材により袋状に形成されている。言い換えれば、腰パッド用ポケット部７１は、前側下辺部材７２、前側上辺部材７３、裏側下辺部材７４及び裏側上辺部材７５により、腰パッド１Ａを収容するための収容空間が形成されている。
【００４６】
脇側ベルト部７７は、腰パッド用ポケット部７１の左右両端に縫着されている。脇側ベルト部７７は、伸縮力のある細かいネット状の編物であるパワーネットを二重に重ねて使用することができる。脇側ベルト部７７において腰パッド用ポケット部７１が縫着される側と反対側の側部には、固定部７８が縫着されている。固定部７８も、例えば、先のパワーネットを重ねて使用することができる。固定部７８は、ウエストベルト７０を人体に固定するための部位である。ウエストベルト７０は、着用時に人体の腹側部分で固定部７８同士を固定することにより人体に装着することができる。
【００４７】
固定部７８同士の固定は、固定部７８の一方の面側（図８に示す状態において表側、着用時に人体正面から見て裏側）に面ファスナーのオス７８ａを設け、固定部７８の他方の面側（図８に示す状態において裏側、装着時に人体正面から見て表側）に面ファスナーのメス７８ｂを設けることにより、互いに固定することができる。面ファスナーのメス７８ｂを面ファスナーのオス７８ａより広範囲に設けることにより、固定部７８同士を固定できる範囲が広がる。これにより、ウエストベルト７０を人体にきつく固定したり緩く固定したりするなど調整が可能になる。
【００４８】
前側上辺部材７３の下縁は、前側下辺部材７２の上縁を覆うように配置されており、前側上辺部材７３と前側下辺部材７２との隙間部分から上記腰パッド１Ａを出し入れ可能となっている。前側下辺部材７２には、吸汗性のあるベア天竺素材を使用することができる。前側上辺部材７３及び裏側上辺部材７５には、コットン綾織などの材料を使用することができる。裏側下辺部材７４には、伸縮力のある細かいネット状の編物であるパワーネットを使用することができる。また、裏側下辺部材７４を別の生地で設け、その生地の前側下辺部材７２側にパワーネットを裏打ちしてもよい。
【００４９】
裏側下辺部材７４として使用されるパワーネットは、面内方向に張力がかかった状態、言い換えれば、張力がかけられていない通常状態から面内方向に伸ばされた状態で、前側下辺部材７２、前側上辺部材７３及び裏側上辺部材７５に縫着されてもよい。この場合、腰パッド１Ａが腰パッド用ポケット部７１に収容された状態のウエストベルト７０が着用されると、腰パッド１Ａの収容空間に収容される腰パッド１Ａの外側面５（図３（Ａ）及び（Ｂ）参照）の下部が、パワーネットによって人体側に向かって面的に押さえられる。
【００５０】
更に、裏側下辺部材７４と前側下辺部材７２との間には、伸縮性のあるテープ状の部材であるストレッチテープ（例えば、平ゴム）７６が設けられてもよい。ストレッチテープ７６は、腰パッド用ポケット部７１の左右両端（本実施形態では、図８に示すように、裏側下辺部材７４及び前側下辺部材７２の左右両端部分）に縫着される。このときストレッチテープ７６は、左右方向（長手方向）に張力がかかった状態、言い換えれば、張力がかけられていない通常状態から左右方向に伸ばされた状態で、腰パッド用ポケット部７１の左右両端に縫着される。
【００５１】
ストレッチテープ７６は、腰パッド１Ａを収容する収容空間に腰パッド１Ａが収容された際に、腰パッド１Ａの高さ方向（図２に示す上下方向）の中心部近傍の外側面５（図３（Ａ）及び（Ｂ）参照）を押さえることができる位置に設けられる。この場合、腰パッド１Ａが腰パッド用ポケット部７１に収容された状態のウエストベルト７０が着用されると、腰パッド１Ａの収容空間に収容される腰パッド１Ａの高さ方向の中心部近傍の外側面５が、ストレッチテープ７６によって人体側に向かってポイント的に押さえられる。更に本実施形態のウエストベルト７０では、固定部７８同士の固定位置を調整することができるので、腰パッド１Ａの腰部への密着度を自在に調整可能となる。
【００５２】
なお、上記説明したウエストベルト７０は、横方向に開口を設けているが、縦方向に開口を設けてもよい。
【００５３】
上記説明したウエストベルト７０は、スカート、キュロットスカート、スパッツ、ガードル、ニッパー、パンツ、エプロンなどに取り付けて使用することができる。また、同様の構造を縫着、接着などにより一体的に設けることができる。以下、上記ウエストベルト７０を備えるエプロンについて詳細に説明する。
【００５４】
図１０は、ウエストベルト７０を取り付けたエプロン８０の展開図である。図１１は、図１０のエプロンの正面図である。図１０及び図１１に示すように、エプロン８０は、ウエストベルトと、本体部８３と、上辺見返し部８５とを備えている。
【００５５】
ウエストベルト７０は、上段にて説明したとおりであるので、ここでは説明を省略する。本体部８３は、コットン綾織などの材料を使用することができる。本体部８３には、エプロン８０を人体に着用するためのウエスト紐が２か所に設けられている。エプロン８０は、人体の腹側近傍又は脇側近傍においてウエスト紐同士を固定することにより人体に装着することができる。
【００５６】
ウエストベルト７０の本体部８３への固定は、本体部８３の上辺に設けられている上辺見返し部８５を介して行うことができる。上辺見返し部８５とウエストベルト７０とは、面ファスナー及びボタンなどを設けることにより、互いを固定することができる。
【００５７】
次に、上記実施形態の腰パッド１Ａを腰部に装着した際の作用効果について説明する。なお、腰パッド１Ａを腰部に直接装着した場合も、腰パッド用ポケット部５１，７１に格納した装着した場合も、以下に示す作用効果を享受できる。
【００５８】
上記実施形態の腰パッド１Ａでは、空隙を有する三次元立体網状構造体１１によって本体部１０が形成されているので、人体への装着時に通気性を確保することができる。一方、支持部３０は、三次元立体網状構造体１１を熱圧縮成型して形成された板状体であるので、本体部１０を形成する三次元立体網状構造体１１と比べて剛性が高められている。このため、支持したい部位（上記実施形態では装着者の腰部）を適切に支持することができる。
【００５９】
本体部１０を囲む端始末部２０も、支持部３０と同様に、本体部１０を形成する三次元立体網状構造体１１と比べて剛性が高められているので、腰パッド１Ａ全体としての保形性を高めることができる。更に、支持部３０及び端始末部２０は、本体部１０と比べて薄く形成されているので、人体への装着時に、支持部３０及び端始末部２０が外衣を通して外観に現れにくくなっている。この結果、人体への装着時に外衣を通して外観に現れにくくすると共に通気性を確保することができる。
【００６０】
また、上記実施形態の腰パッド１Ａでは、図３（Ａ）及び（Ｂ）に示すように、端始末部２０の外縁２０ａによって囲まれる領域は、装着時に着用者の肌側となる内側面３及び内側面３とは反対側の外側面５を有し、内側面３及び外側面５が、外側面５側に全体的に凸となるように形成されている。
【００６１】
ここで、内側面３が腰部を覆うように腰パッド１Ａを装着する場合、図１２に示すように、衣服などによって腰パッド１Ａに、凸部の外側面５側から力Ｆ１が加えられる。更に腰パッド用ポケット部５１に収容されたパンツ５０を着用した際には、パワーネットで形成される裏側下辺部材５７及びストレッチテープ６１などが腰パッド１Ａに、凸部の外側面５側から力Ｆ１を加える。また、腰パッド用ポケット部７１に収容されたウエストベルト７０を着用した際には、パワーネットで形成される裏側下辺部材７４及びストレッチテープ７６などが腰パッド１Ａに、凸部の外側面５側から力Ｆ１を加える。
【００６２】
このとき、従来の一般的なフラット形状の腰パッド２００では、図１３に示すように、外側面２０５側から腰パッド２００に加えられた力Ｆ１よって、外側方向に反り返ろうとする力Ｆ３が生まれる。このとき、端部となる外縁２００ａでは、特に反り返ろうとする力Ｆ３が大きくなる。このため、腰パッド２００の外縁２００ａが外側に反り返り、外衣を通して腰パッド２００の外観に現れやすくなる。
【００６３】
このような従来の腰パッド２００に対し、上記実施形態の腰パッド１Ａでは、凸部の一部に力Ｆ１が加わった場合であっても、図１２に示すように、端部となる外縁２０ａが装着者の肌側に向かってカーブするように形成されているために、腰パッド１Ａに押圧力Ｆ１による反り返りのパワーが発生したとしても、外縁２０ａは肌側に向かってカーブする形状を維持しようとし肌側に密着し続ける。このため、腰パッド１Ａの外縁２０ａにおける反り返りが抑制され、外衣を通して腰パッド２００の外観に現れにくくなる。また、上記実施形態の腰パッド１Ａは、外縁２０ａが人体に密着するので、外縁２００ａが人体から離れてしまう従来の腰パッド２００と比べ人体との接触面が大きくなり、着用者のサポート感が増す。
【００６４】
以上、一実施形態について説明したが、本発明は、上記実施形態に限られるものではなく、発明の趣旨を逸脱しない範囲で種々の変更が可能である。
【００６５】
上記実施形態の説明では、腰パッド１Ａをパンツ５０に設けられた腰パッド用ポケット部５１に収容する例及び腰パッド１Ａをウエストベルト７０に設けられた腰パッド用ポケット部７１に収容する例を挙げて説明したが、本発明はこれに限定されるわけではなく、例えば袋状物に入れたパッドを、公知の接着剤を用いて衣類に貼付したり、衣類に縫着したり、面ファスナー、ボタンなどを介して衣類に着脱可能に取り付けたりするなどしてもよい。接着剤の例には、無機系接着剤、有機系接着剤、及び低融点不織布などが含まれる。
【００６６】
上記実施形態の腰パッド１Ａでは、図２に示すように、端始末部２０を兼ねた支持部３０が左右両端に配置された例を挙げて説明したが本発明はこれに限定されるものではない。例えば、図１４に示すように、本体部１０の外縁１０ａを囲むように設けられる端始末部２０と、端始末部２０の外縁２０ａによって囲まれる領域に設けられると共に、人体への装着時に支持したい腰椎が延びる方向に沿って設けられる２つの支持部３０と、を備える腰パッド１０１Ａであってもよい。端始末部２０が、本体部１０を形成する三次元立体網状構造体１１を圧縮熱成型して形成された板状体又は線状体であり、本体部１０の厚みｔ１０よりも薄く形成される点、支持部３０が、本体部１０を形成する三次元立体網状構造体１１を圧縮熱成型して形成された板状体であり、本体部１０の厚みよりも薄く形成されている点は、上記実施形態の腰パッド１Ａと同様である。
【００６７】
また、上記腰パッド１０１Ａにおいて、図１４の左右両端に配置された端始末部２０は、端始末部２０としての機能を備えた支持部３０として形成してもよい。
【００６８】
上記実施形態では、装着用支持パッドの一例として腰パッド１Ａ，１０１Ａを挙げて説明したが本発明はこれに限定されるものではない。例えば、図１５に示すような膝パッド３０１Ａ、図１６に示すような大転子パッド４０１Ａとすることもできる。図１５及び図１６は、左側から順番に平面図、平面図におけるＡ−Ａ線の断面図、平面図におけるＢ−Ｂ線の断面図を示している。
【００６９】
図１５に示す膝パッド３０１Ａは、本体部３１０の外縁３１０ａを囲むように設けられる端始末部３２０と、端始末部３２０の外縁３２０ａによって囲まれる領域に設けられると共に、人体への装着時に支持したい膝関節部の屈曲部位に沿って設けられる支持部３３０と、を備える。
【００７０】
図１６に示す大転子パッド４０１Ａは、本体部４１０の外縁４１０ａを囲むように設けられる端始末部４２０と、端始末部４２０の外縁４２０ａによって囲まれる領域に設けられると共に、人体への装着時に支持したい大転子部の屈曲部位に沿って設けられる支持部４３０と、を備える。
【００７１】
図１５に示す膝パッド３０１Ａ及び図１６に示す大転子パッド４０１Ａであっても、端始末部３２０，４２０が、本体部３１０，４１０を形成する三次元立体網状構造体１１を圧縮熱成型して形成された板状体又は線状体であり、本体部３１０，４１０の厚みｔ３１０，ｔ４１０よりも薄く形成される点、支持部３３０，４３０が、本体部３１０，４１０を形成する三次元立体網状構造体１１を圧縮熱成型して形成された板状体であり、本体部３１０，４１０の厚みｔ３１０，ｔ４１０よりも薄く形成されている点は、上記実施形態の腰パッド１Ａ，１０１Ａと同様である。上記実施形態の腰パッド１Ａ，１０１Ａと同様、これらのパッド３０１Ａ，４０１Ａを袋状物に入れて、公知の接着剤を用いて衣類に貼付したり、衣類に縫着したり、面ファスナー、ボタンなどを介して衣類に着脱可能に取り付けたりするなどしてもよい。
【符号の説明】
【００７２】
１Ａ，１０１Ａ…腰パッド（装着用支持パッド）、３…内側面、５…外側面、１０，３１０，４１０…本体部、１０ａ，３１０ａ，４１０ａ…外縁、１１…三次元立体網状構造体、１１ａ…連続線条体、１１ｂ…ランダムループ、２０，３２０，４２０…端始末部、２０ａ，３２０ａ，４２０ａ…外縁、３０，３３０，４３０…支持部、５０…パンツ（衣類）、５１…腰パッド用ポケット部（収容部）、５３…前側下辺部材、５５…前側上辺部材、５７…裏側下辺部材、５９…裏側上辺部材、６１…ストレッチテープ、７０…ウエストベルト（衣類）、７１…腰パッド用ポケット部（収容部）、７２…前側下辺部材、７３…前側上辺部材、７４…裏側下辺部材、７５…裏側上辺部材、７７…脇側ベルト部、７８…固定部、８０…エプロン（衣類）、８３…本体部、８５…上辺見返し部、３０１Ａ…膝パッド（装着用支持パッド）、４０１Ａ…大転子パッド（装着用支持パッド）。
【図１】
2015150323.tif 000003
【図２】
2015150323.tif 000004
【図３】
2015150323.tif 000005
【図４】
2015150323.tif 000006
【図５】
2015150323.tif 000007
【図６】
2015150323.tif 000008
【図７】
2015150323.tif 000009
【図８】
2015150323.tif 000010
【図９】
2015150323.tif 000011
【図１０】
2015150323.tif 000012
【図１１】
2015150323.tif 000013
【図１２】
2015150323.tif 000014
【図１３】
2015150323.tif 000015
【図１４】
2015150323.tif 000016
【図１５】
2015150323.tif 000017
【図１６】
2015150323.tif 000018